【手続補正書】
【提出日】平成20年7月10日(2008.7.10)
【手続補正１】
【補正対象書類名】特許請求の範囲
【補正対象項目名】全文
【補正方法】変更
【補正の内容】
【特許請求の範囲】
【請求項１】
ジョブ単位で拡大率の変更が許される仕様のオペレーティングシステムが動作し、印刷装置で印刷すべき複数ページの印刷データを生成する情報処理装置であって、
フチなし印刷を行うためのフチなし印刷設定と、所定のページにフチありで印刷するフチあり印刷設定とを入力する設定入力手段と、
前記設定入力手段によりフチなし印刷設定が入力されて設定されている場合に、前記オペレーティングシステムに対して、拡大率を指定する拡大指定手段と、
前記設定入力手段により所定のページにフチあり印刷設定が入力されている場合に、処理すべきページが前記所定のページであるか判断する判断手段と、
前記判断手段により処理すべきページが前記所定のページであると判断された場合に、前記オペレーティングシステムにより拡大されたデータの周囲に余白を作成する余白作成手段と、
前記オペレーティングシステムにより拡大されたデータと、前記余白作成手段により余白が作成されたデータに基づいて、前記印刷装置で印刷すべき複数ページの印刷データを生成する印刷データ生成手段と、
を有することを特徴とする情報処理装置。
【請求項２】
前記余白作成手段は、前記オペレーティングシステムにより拡大されたデータの周囲を切り取ることで余白を作成することを特徴とする請求項１記載の情報処理装置。
【請求項３】
前記設定入力手段は、印刷データの全体の設定としてフチなし印刷を行うためのフチなし印刷設定を入力し、所定のページとして表面または裏面のいずれかにフチありで印刷するフチあり印刷設定を入力することを特徴とする請求項１または２に記載の情報処理装置。
【請求項４】
前記設定入力手段は、フチなし印刷設定が入力されて設定されている場合に、用紙からのはみだし量の設定を入力し、
前記拡大指定手段は、用紙のサイズと前記入力されたはみだし量から拡大率を算出し、算出された拡大率を前記オペレーティングシステムに指定することを特徴とする請求項１乃至３のいずれか１項に記載の情報処理装置。
【請求項５】
前記所定のページについて等倍で印刷する場合に、前記拡大率の逆数の縮小率を、前記所定のページのデータを出力するアプリケーションに対して指定する縮小指定手段とを更に有することを特徴とする請求項１乃至４のいずれか１項に記載の情報処理装置。
【請求項６】
ジョブ単位で拡大率の変更が許される仕様のオペレーティングシステムが動作し、印刷装置で印刷すべき複数ページの印刷データを生成する情報処理装置における情報処理方法であって、
フチなし印刷を行うためのフチなし印刷設定と、所定のページにフチありで印刷するフチあり印刷設定とを入力する設定入力工程と、
前記設定入力工程でフチなし印刷設定が入力されて設定されている場合に、前記オペレーティングシステムに対して、拡大率を指定する拡大指定工程と、
前記設定入力工程で所定のページにフチあり印刷設定が入力されている場合に、処理すべきページが前記所定のページであるか判断する判断工程と、
前記判断工程で処理すべきページが前記所定のページであると判断された場合に、前記オペレーティングシステムにより拡大されたデータの周囲に余白を作成する余白作成工程と、
前記オペレーティングシステムにより拡大されたデータと、前記余白作成工程で余白が作成されたデータに基づいて、前記印刷装置で印刷すべき複数ページの印刷データを生成する印刷データ生成工程と、
を含むことを特徴とする情報処理方法。
【請求項７】
前記余白作成工程は、前記オペレーティングシステムにより拡大されたデータの周囲を切り取ることで余白を作成することを特徴とする請求項６記載の情報処理方法。
【請求項８】
前記設定入力工程は、印刷データの全体の設定としてフチなし印刷を行うためのフチなし印刷設定を入力し、所定のページとして表面または裏面のいずれかにフチありで印刷するフチあり印刷設定を入力することを特徴とする請求項６または７に記載の情報処理方法。
【請求項９】
前記設定入力工程は、フチなし印刷設定が入力されて設定されている場合に、用紙からのはみだし量の設定を入力し、
前記拡大指定工程は、用紙のサイズと前記入力されたはみだし量から拡大率を算出し、算出された拡大率を前記オペレーティングシステムに指定することを特徴とする請求項６乃至８のいずれか１項に記載の情報処理方法。
【請求項１０】
前記所定のページについて等倍で印刷する場合に、前記拡大率の逆数の縮小率を、前記所定のページのデータを出力するアプリケーションに対して指定する縮小指定工程とを更に含むことを特徴とする請求項６乃至９のいずれか１項に記載の情報処理方法。
【請求項１１】
ジョブ単位で拡大率の変更が許される仕様のオペレーティングシステムが動作し、印刷装置で印刷すべき複数ページの印刷データを生成する情報処理装置で読み取り実行可能な印刷制御プログラムであって、
フチなし印刷を行うためのフチなし印刷設定と、所定のページにフチありで印刷するフチあり印刷設定とを入力する設定入力工程と、
前記設定入力工程でフチなし印刷設定が入力されて設定されている場合に、前記オペレーティングシステムに対して、拡大率を指定する拡大指定工程と、
前記設定入力工程で所定のページにフチあり印刷設定が入力されている場合に、処理すべきページが前記所定のページであるか判断する判断工程と、
前記判断工程で処理すべきページが前記所定のページであると判断された場合に、前記オペレーティングシステムにより拡大されたデータの周囲に余白を作成する余白作成工程と、
前記オペレーティングシステムにより拡大されたデータと、前記余白作成工程で余白が作成されたデータに基づいて、前記印刷装置で印刷すべき複数ページの印刷データを生成する印刷データ生成工程と、
を前記情報処理装置に実行させることを特徴とする印刷制御プログラム。
【請求項１２】
前記余白作成工程は、前記オペレーティングシステムにより拡大されたデータの周囲を切り取ることで余白を作成することを特徴とする請求項１１記載の印刷制御プログラム。
【請求項１３】
前記設定入力工程は、印刷データの全体の設定としてフチなし印刷を行うためのフチなし印刷設定を入力し、所定のページとして表面または裏面のいずれかにフチありで印刷するフチあり印刷設定を入力することを特徴とする請求項１１または１２に記載の印刷制御プログラム。
【請求項１４】
前記設定入力工程は、フチなし印刷設定が入力されて設定されている場合に、用紙からのはみだし量の設定を入力し、
前記拡大指定工程は、用紙のサイズと前記入力されたはみだし量から拡大率を算出し、算出された拡大率を前記オペレーティングシステムに指定することを特徴とする請求項１１乃至１３のいずれか１項に記載の印刷制御プログラム。
【請求項１５】
前記所定のページについて等倍で印刷する場合に、前記拡大率の逆数の縮小率を、前記所定のページのデータを出力するアプリケーションに対して指定する縮小指定工程とを更に含むことを特徴とする請求項１１乃至１４のいずれか１項に記載の印刷制御プログラム。
【請求項１６】
ジョブ単位で拡大率の変更が許される仕様のオペレーティングシステムが動作し、印刷装置で印刷すべき複数ページの印刷データを生成する情報処理装置であって、
アプリケーションからの描画命令を拡大してフチなし印刷を行うためのフチなし印刷設定と、所定のページに対して等倍で印刷する等倍印刷設定とを入力する設定入力手段と、前記設定入力手段によりフチなし印刷設定が入力されて設定されている場合に、前記オペレーティングシステムに対して、拡大率を指定する拡大指定手段と、
前記設定入力手段により所定のページに対して等倍印刷設定が入力されている場合に、処理すべきページが前記所定のページであるか判断する判断手段と、
前記判断手段により処理すべきページが前記所定のページであると判断された場合に、前記拡大率の逆数である縮小率を前記アプリケーションに対して指定する縮小指定手段と、
前記オペレーティングシステムにより拡大されたデータに基づいて、前記印刷装置で印刷すべき複数ページの印刷データを生成する印刷データ生成手段と、
を有することを特徴とする情報処理装置。
【請求項１７】
ジョブ単位で拡大率の変更が許される仕様のオペレーティングシステムが動作し、印刷装置で印刷すべき複数ページの印刷データを生成する情報処理装置における情報処理方法であって、
アプリケーションからの描画命令を拡大してフチなし印刷を行うためのフチなし印刷設定と、所定のページに対して等倍で印刷する等倍印刷設定とを入力する設定入力工程と、前記設定入力工程でフチなし印刷設定が入力されて設定されている場合に、前記オペレーティングシステムに対して、拡大率を指定する拡大指定工程と、
前記設定入力工程で所定のページに対して等倍印刷設定が入力されている場合に、処理すべきページが前記所定のページであるか判断する判断工程と、
前記判断工程で処理すべきページが前記所定のページであると判断された場合に、前記拡大率の逆数である縮小率を前記アプリケーションに対して指定する縮小指定工程と、
前記オペレーティングシステムにより拡大されたデータに基づいて、前記印刷装置で印刷すべき複数ページの印刷データを生成する印刷データ生成工程と、
を含むことを特徴とする情報処理方法。
【請求項１８】
ジョブ単位で拡大率の変更が許される仕様のオペレーティングシステムが動作し、印刷装置で印刷すべき複数ページの印刷データを生成する情報処理装置で読み取り実行可能な印刷制御プログラムであって、
アプリケーションからの描画命令を拡大してフチなし印刷を行うためのフチなし印刷設定と、所定のページに対して等倍で印刷する等倍印刷設定とを入力する設定入力工程と、前記設定入力工程でフチなし印刷設定が入力されて設定されている場合に、前記オペレーティングシステムに対して、拡大率を指定する拡大指定工程と、
前記設定入力工程で所定のページに対して等倍印刷設定が入力されている場合に、処理すべきページが前記所定のページであるか判断する判断工程と、
前記判断工程で処理すべきページが前記所定のページであると判断された場合に、前記拡大率の逆数である縮小率を前記アプリケーションに対して指定する縮小指定工程と、
前記オペレーティングシステムにより拡大されたデータに基づいて、前記印刷装置で印刷すべき複数ページの印刷データを生成する印刷データ生成工程と、
を前記情報処理装置に実行させることを特徴とする印刷制御プログラム。
【請求項１９】
前記縮小指定工程は、前記縮小率と共に、前記アプリケーションが描画命令を作成する際の基準位置を、前記アプリケーションに対して指定することを特徴とする請求項１８記載の印刷制御プログラム。
【請求項２０】
等倍印刷設定されている所定のページにフチありで印刷することが設定されており、かつ、前記判断工程で処理すべきページが前記所定のページであると判断された場合に、前記オペレーティングシステムにより拡大されたデータの周囲に余白を作成する余白作成工程を更に含むことを特徴とする請求項１８または１９に記載の印刷制御プログラム。
【請求項２１】
前記余白作成工程は、前記オペレーティングシステムにより拡大されたデータの周囲を切り取ることで余白を作成することを特徴とする請求項２０記載の印刷制御プログラム。
【請求項２２】
前記設定入力工程は、フチなし印刷設定が入力されて設定されている場合に、用紙からのはみだし量の設定を入力し、
前記拡大指定工程は、用紙のサイズと前記入力されたはみだし量から拡大率を算出し、算出された拡大率を前記オペレーティングシステムに指定することを特徴とする請求項１８乃至２１のいずれか１項に記載の印刷制御プログラム。